(57)【要約】【課題】  あらかじめ水栓の部品を組み付け済みとした水栓であっても壁面に確実に固定することにより、水栓部品の組み付け精度を向上させることができるとともに水栓の設置現場での作業性を向上させることができる一方、壁面とカバーとの間の隙間や水栓のがたつきを抑制することを減少させ、また同時に、カバーを一体化させることにより水栓の美観を向上させることができる固定構造を提供すること。【解決手段】  壁付き水栓１の下方から引き込まれた配管３２，３４が接続されるとともに立壁面Ｘに設置固定される壁付き水栓１の固定構造Ｙにおいて、水栓本体２０に固定されたステー５０に係止孔５６を設け、立壁面Ｘにねじ込み固定されるとともに係止孔５６に着脱係止可能なワッシャー付きねじ７０を設けて、壁付き水栓１を立壁面Ｘに固定した。    【選択図】    図２
2008231888.tif 000002
【特許請求の範囲】
【請求項１】
水栓の背面以外の部位から引き込まれた配管が接続されるとともに浴室等の壁面に設置固定される壁付き水栓の固定構造であって、
水栓本体又は水栓本体に固定されたステーに設けられる係止孔と、
壁面にねじ込み固定されるとともに該係止孔に着脱係止可能なワッシャー付きねじとが備えられて、前記壁付き水栓が前記壁面に固定されることを特徴とする壁付き水栓の固定構造。
【請求項２】
前記係止孔が、前記ワッシャーの外径よりも小さく、かつ前記ワッシャーの軸部の外径よりも大きく設けられた上部の係止部と、前記ワッシャーの外径よりも大きく設けられた下部の挿通部とを備えたことを特徴とする請求項１に記載の壁付き水栓の固定構造。
【請求項３】
前記ワッシャーが、軸方向に形成された二つの大径部と、これらの二つの大径部の間に設けられた軸部とを備えたことを特徴とする請求項１又は請求項２に記載の壁付き水栓の固定構造。
【請求項４】
前記ワッシャーの軸部の長さが、前記係止孔の周縁部の厚みとほぼ同一に設けられたことを特徴とする請求項３に記載の壁付き水栓の固定構造。
【請求項５】
前記壁付き水栓の上方寄りに配設されたことを特徴とする請求項１から請求項４までのいずれかに記載の壁付き水栓の固定構造。
【請求項６】
前記水栓本体が前記壁付き水栓の上方寄りに配設されたことを特徴とする請求項１から請求項５までのいずれかに記載の壁付き水栓の固定構造。
【請求項７】
前記壁付き水栓の前記水栓本体が、側面視倒立Ｌ字状に設けられたことを特徴とする請求項１から請求項６までのいずれかに記載の壁付き水栓の固定構造。
【発明の詳細な説明】
【技術分野】
【０００１】
本発明は、壁付き水栓の固定構造に関する。
【背景技術】
【０００２】
従来、壁付き水栓（浴室などの立壁面に対して取り付けられる水栓）は、壁面の裏側から引き込まれる配管に固定されて壁面に取り付けられるものが知られているが、近年、壁面前方に配置されたカウンター等の内部を引き回された配管に接続されるとともに、壁面に対する固定は水栓本体やこれに固定されるステー等を壁面にねじ止めして固定取付するものがある（例えば、特許文献１及び特許文献２参照。）
【０００３】
【特許文献１】特開平１１−２５６６３６号公報（図３，図４）
【特許文献２】特開平１−２８７３２１号公報（第１図，第４図）
【発明の開示】
【発明が解決しようとする課題】
【０００４】
このような壁付き水栓の固定構造では、水栓本体、継手、ステーなどを組み付けると共に壁面にネジ止めし、さらに水栓カバーなどを組み付けるなど、施工現場での組み付け作業を行っていた。一方、組み付け精度の向上や施工現場での作業時間の短縮を目的として、あらかじめ工場出荷時に水栓本体やステーなどを組み付けておき、施工現場ではこれらの組み付け済の水栓部品を壁面に対してねじ止めするだけで作業を完了させることも求められている。しかしながら、水栓の形状や継手の配置によっては、水栓部品を組み付けた状態では壁面に固定するためのねじにドライバーなどの工具を到達させることができない場合がある。このような場合に、当該部位のねじを省略すると、壁面への水栓の固定が確実になされず、壁面とカバーとの間に隙間が生じたり、水栓ががたついたりすることがある。一方で、当該部位のねじを固定するために、ねじの取付部位に相当する部位のカバーを本体カバーに対して脱着可能な別体のカバーとして構成し、ねじの締付作業時にはこの別体のカバーを取り外して締付作業を可能とするものもあるが、別体のカバーを取り付けることにより水栓の見栄えが悪化する。
【０００５】
本発明は上記した従来の壁付き水栓の固定構造の問題点を解消するものであり、あらかじめ水栓の部品を組み付け済みとした水栓であっても壁面に確実に固定することにより、水栓部品の組み付け精度を向上させることができるとともに水栓の設置現場での作業性を向上させることができる一方、壁面とカバーとの間の隙間や水栓のがたつきを抑制することを減少させ、また同時に、カバーを一体化させることにより水栓の美観を向上させることができる固定構造を提供することにある。
【課題を解決するための手段】
【０００６】
以上の課題を解決するために、本発明の採った手段を以下に説明する。本発明の壁付き水栓の固定構造は、水栓の背面以外の部位から引き込まれた配管が接続されるとともに浴室等の壁面に設置固定される壁付き水栓の固定構造であって、水栓本体又は水栓本体に固定されたステーに設けられる係止孔と、壁面にねじ込み固定されるとともに該係止孔に着脱係止可能なワッシャー付きねじとが備えられて、前記壁付き水栓が前記壁面に固定されることを特徴とする壁付き水栓の固定構造（請求項１）である。
【０００７】
このようなワッシャー付きねじと係止孔を設けることにより、あらかじめ壁面にワッシャー付きねじをねじ込み固定しておき、ついでこのワッシャー付きねじに、部品を組み付けられた水栓本体等に設けられた係止孔を係止固定することによって水栓本体等を壁面に固定することができる。「壁付き水栓」とは上記したように浴室等の壁面に設置固定される水栓を言う。また、「係止孔」は、水栓本体に設けても良いし、水栓本体を壁面に固定するためのステーに設けても良い。その形状は、係止されるワッシャー付きねじの固定位置・形状・大きさなどに対応して種々の態様で設けることができる。同様に、「ワッシャー付きねじ」の形状・大きさなども種々の態様で設けることができる。
【０００８】
また、特に係止孔が、ワッシャーの外径よりも小さく、かつワッシャーの軸部の外径よりも大きく設けた上部の係止部と、ワッシャーの外径よりも大きく設けた下部の挿通部とを備えたものとすることにより（請求項２）、挿通部にワッシャーを挿通させた後にスライドさせてワッシャーの軸部が係止部に係止されるようにすることにより、ワッシャーと係止孔を確実に係止保持させることができる。
【０００９】
また、前記ワッシャーが、軸方向に形成された二つの大径部と、これらの二つの大径部の間に設けられた軸部とからなるものとすることにより（請求項３）、軸部を係止孔に係止することによってワッシャーと係止孔との係止を確実に行うことができる。
【００１０】
また、前記ワッシャーの軸部の長さを、前記係止孔の周縁部の厚みとほぼ同一に設けることにより（請求項４）、ワッシャーに係止される係止孔の周縁部がワッシャーの大径部間で嵌合され、水栓側のがたつきを抑えることができる。
【００１１】
また、前記固定構造が、前記壁付き水栓の上方寄りに配設されたものに適用することにより（請求項５）、水栓の上方で固定を行うことができるので、水栓の傾きをより確実に防止できる。
【００１２】
また、前記水栓本体が壁付き水栓の上方寄りに配設されたものに適用することにより（請求項６）、上方に重量物である水栓本体があるために前方側に傾きやすい水栓であっても、傾きを確実に防止することができる。
【００１３】
また、前記壁付き水栓の水栓本体が、側面視倒立Ｌ字状に設けられたものに適用することにより（請求項７）、水栓本体が、水栓の上方寄りにおいて前方側に突設されるために前方側に傾きやすい水栓であっても、傾きを確実に防止することができる。
【発明の効果】
【００１４】
本発明は上記のように壁面にあらかじめ固定可能なワッシャー付きねじに水栓本体側の係止孔を取付固定することができるので、水栓部品の組み付け精度を向上させることができるとともに水栓の設置現場での作業性を向上させることができる一方、壁面とカバーとの間の隙間や水栓のがたつきを抑制することを減少させ、また同時に、カバーを一体化させることにより水栓の美観を向上させることができる。
【発明を実施するための最良の形態】
【００１５】
次に、本発明の壁付き水栓の固定構造の実施の形態を図を参考にして詳細に説明する。図１に示すように、本発明の取付構造は、側面視において倒立Ｌ字状に形成された壁付き水栓１を浴室の立壁面Ｘに固定するためのものである。壁付き水栓１は、後述する水栓本体がカバー９により覆われたカバー水栓であり、カバー９には、縦長矩形状の板状の背面部２と、背面部２の上端から正面側斜め上方に向けて屈曲連設されるとともに平面視正方形状の板状に形成される平面部３とが備えられている。
【００１６】
平面部３の左右側面には、左に温度調節ハンドル４、右に切換ハンドル５が取り付けられている。また、平面部３下部には吐水口６が備えられている。また、温度調節ハンドル４よりも奥側の平面部３左側面には、シャワーホース７が接続されるエルボ８が突設されている。そして、温度調節ハンドル４の操作により、適宜の温度に調節された混合水が、切換ハンドル５の操作により吐水口６又はシャワーのいずれかからの吐水及びその吐水量を調節されて吐出されるように設けられている。
【００１７】
図２及び図３に示すように、壁付き水栓１の内部には、水栓本体２０、水栓本体２０を立壁面Ｘに固定するためのステー５０、水栓本体２０に接続される湯側・水側の配管３２，３４及び配管３２，３４を立壁面Ｘに固定するための配管ステー３６などが収容されている。
【００１８】
水栓本体２０の円筒状の水栓ボディ２２内には、温度調節カートリッジ２４及び切換弁カートリッジ２６が内蔵されており、これらに接続固定される温度調節ハンドル４または切替ハンドル５の操作により、温度調節弁または切換弁が駆動操作される。また、水栓ボディ２２のほぼ中央部下面には、吐水口６が突設されている。
【００１９】
水栓ボディ２２の背面側の左右両側には接続部２７ａ、２７ｂが突設され、これらの接続部２７ａ、２７ｂ間には接続部３０が突設されている。そして、接続部２７ａ，２７ｂには、クランク形状に屈曲形成された湯側・水側の継手２８ａ、２８ｂがおのおの接続されている。継手２８ａ、２８ｂの水栓側接続部４０には、逆流防止弁ユニット４２がそれぞれ内蔵されている。また、継手２８ａ，２８ｂの主体部４４には、止水栓ユニット４６がそれぞれ内蔵されている。
【００２０】
また、継手２８ａ、２８ｂの他端側には、それぞれ、湯側・水側の配管３２，３４が接続されている。配管３２，３４は、継手２８ａ、２８ｂから下方に向かって垂下され、壁付き水栓１の下方に突設されて、さらに、図示しない浴室のカウンター内部に引き回されて、カウンターの裏面側から立壁面Ｘの外部から引き込まれた給湯配管・給水配管の端末（図示省略）に接続されている。そして、配管３２，３４の下方寄りは、ねじ１５により配管ステー３６を介して立壁面Ｘに固定されている。
【００２１】
また、継手２８ａ，２８ｂの主体部４４の後端下方寄りには、主体部４４を立壁面Ｘに固定するための固定孔４５が、各継手２８ａ、２８ｂに、左右に一つずつ設けられている。そして、継手２８ａ，２８ｂの主体部４４の後端上面には、固定孔４５が設けられるとともに後述するステー５０がねじ５２により固定される固定部５４が突設されている。
【００２２】
また図３に示すように、接続部３０には、混合水をシャワーに供給するためのシャワー配管２９が接続されている。シャワー配管２９の他端側は、壁付き水栓１の正面視左側面から突設されてエルボ８に接続されている。
【００２３】
ステー５０は前述の通り、継手２８ａ，２８ｂの固定部５４に対してねじ止め固定されており、継手２８ａ，２８ｂを介して水栓ボディ２２を立壁面Ｘに固定するものである。ステー５０には、図４及び図６に示すように、係止孔５６が設けられている。係止孔５６はだるま状の全体形状に形成されており、上部の係止部５８と下部の挿通部６０とから構成されている。図４及び図５に示すように、挿通部６０はワッシャー付きねじ７０のワッシャー７２よりも若干大径に形成されており、ワッシャー付きねじ７０が挿通可能に設けられている。一方、係止部５８は、ワッシャー７２よりも小径に形成され、かつワッシャー７２の軸部７４よりも若干大径に形成されている。
【００２４】
このように、係止孔５６の上部の係止部５８をワッシャー付きねじ７０のワッシャー７２の外径よりも小さく、かつ軸部７４の外径よりも大きく設けるとともに、係止孔５６の下部の挿通部６０をワッシャー７２の外径よりも大きく設けることにより、ワッシャー７２を挿通部６０に挿通し、その後、係止部５８にワッシャー７２をスライドさせるようにして、係止孔５６にワッシャー７２を係止固定させることができる。
【００２５】
ワッシャー付きねじ７０のワッシャー７２は、図５に示すように、軸部７４を中心にして前後に大径部７６ａ、７６ｂが形成されており、軸部７４側の端部７８は、面取りがなされて係止部５８が両大径部７６ａ，７６ｂ館に円滑に収容されるように構成されている。また、大径部７６ａ、７６ｂの間隔、すなわち軸部７４の長さは、係止孔５６が設けられるステー５０の厚みとほぼ同一に設けられており、係止孔５６とワッシャー７２が係止された状態で、大径部７６ａ、７６ｂ間に係止孔５６の係止部５８の周縁部が嵌合し、水栓１の前後方向におけるがたつきを抑えるように設けられている。
【００２６】
ついでカバー９について説明する。図２に示すように、カバー９は、水栓本体２０の上部を覆う上部カバー１０と、水栓ボディ２２の下部を覆うボディカバー１１と、水栓ボディ２２の下方の配管３２，３４を覆う配管カバー１２とから構成されている。上部カバー１０は水栓ボディ２２の先端寄りの部分に被さるようにして、吐水口６の後方の部位において、下部よりボルト１３によって水栓ボディ２２に固定されるとともに、水栓ボディ２２上部の部位においてサポートバー１４により、その裏側から当接保持されている。また、ボディカバー１１は、吐水口６の後方の部位において上部カバー１０とともにボルト１３によって水栓ボディ２２に固定されている。そして、上部カバー１０及びボディカバー１１の下部に、配管カバー１２が組み付けられている。
【００２７】
ついで、この壁付き水栓１の立壁面Ｘへの固定方法について説明する。この壁付き水栓１では、あらかじめ工場出荷前に、水栓ボディ２２、継手２８ａ，２８ｂ、シャワー配管２９及びステー５０が組み付けられ、さらに、上部カバー１０及びボディカバー１１が水栓ボディ２２に組み付けられている。事前に組み付け検査を行うことができるので、これらの各部品の組付精度を高くすることが出来る。また、壁付き水栓１の設置現場での部品の組み付け作業を簡略することができる。そして設置現場ではまず最初に、ワッシャー付きねじ７０を立壁面Ｘの所定の位置にねじ込み固定する。前述した組み付け済みの各部品について、ステー５０の係止孔５６にワッシャー７２が係止されるようにして引っ掛ける。これにより、各部品は立壁面Ｘに対して仮止め固定することができる。この状態で、継手２８ａ，２８ｂの主体部４４後端下方寄りの固定孔４５にねじ１５を挿通させるとともに背面側の立壁面Ｘにねじ込み固定する。そして、固定された状態で、継手２８ａ、２８ｂに配管３２，３４を接続固定する。既に水栓本体２０等が立壁面Ｘに対して固定済みであるので、重量物である水栓本体２０等を保持しながら配管３２，３４の接続作業を行う必要がなく容易に接続することができる。そして、配管３２，３４を配管ステー３６を用いて立壁面Ｘにねじ１５により固定する。最後に配管カバー１２を取り付けて、壁付き水栓１の固定作業が完了する。そして、配管３２，３４は、別途引き回される接続管などに接続する。なお、あらかじめ配管３２，３４も継手２８ａ，２８ｂに接続しておいても良い。
【００２８】
本壁付き水栓の固定構造Ｙは上記のように構成されており、ワッシャー付きねじ７０をあらかじめ立壁面Ｘにねじ込み固定しておいても、ステー５０の係止孔５６に係止固定することができる。よって、水栓本体２０の所定の部品をあらかじめ組み付けた状態で水栓本体２０正面側からはワッシャー付きねじ７０のねじ込みができない場合であっても、水栓本体２０等をワッシャー付きねじ７０に固定することが可能である。また、切削加工品であり製造コストの低いワッシャー７２を余分に追加するだけでこのような固定構造を実現できる。
【００２９】
また、壁付き水栓１の上方の部位においてワッシャー付きねじ７０により固定しているので、重量物である水栓ボディ２２等により正面下方に傾き易い壁付き水栓１の傾きを防止し、上部カバー１０の背面側に隙間などが生じ難くすることができる。本壁付き水栓１では、水栓本体２０が上部において正面側に突出する側面視「倒立Ｌ字状」に設けられているため、特に正面側に傾きやすいので有効である。また、本壁付き水栓１では、配管３２，３４が下方から引き回されて水栓本体２０に接続されており、水栓本体２０が、背面側の立壁面Ｘ裏側から引き込まれた配管の端末に直接接続固定されるものではなくねじ１５により固定されているだけである。よって、この点でも水栓本体２０が特に傾きやすいので有効である。
【００３０】
また、ワッシャー付きねじ７０のねじ込みのためにワッシャー付きねじ７０付近のカバー９を取り外し可能な別体とする必要もなく、壁付き水栓１使用者の目につきやすい上部カバー１０を一体ものとすることにより美観の向上を図ることもできる。
【００３１】
本発明は上記した実施の形態に限られるものではなく、本発明の趣旨の範囲内で種々の変更が可能である。例えば、ワッシャー７２は他の形状としても良く、両大径部７６ａ、７６ｂの間隔や外径はステー５０の係止孔５６の形状に合わせて種々の変更が可能である。また、係止孔５６の形状も、同様にワッシャー７２の形状に合わせて種々の変更が可能である。また、「だるま型」の形状に限らず、ワッシャー７２が係止可能であれば他の形状でも良い。また、係止孔５６は水栓本体２０等の別の部位に設けることとしても良いが、壁付き水栓１を確実に固定し傾きを防止するためには、本例のように水栓本体２０の上部寄りに設けることが望ましい。また、水栓本体２０を別の部位においてねじ１５によって立壁面Ｘに固定しているがこのねじ１５による固定を省略することもできる。しかしながら、水栓本体２０の確実な固定のためには、本例のようにねじ１５などによって、水栓本体２０の別の部位において立壁面Ｘに固定することが望ましい。
【図面の簡単な説明】
【００３２】
【図１】本発明の固定構造を用いた壁付き水栓の斜視図である。
【図２】図１の水栓の右側面視縦断面図である。
【図３】図１の水栓の平面視横断面図である。
【図４】ステーに設けられる係止孔の拡大正面図である。
【図５】固定構造の拡大断面図である。
【図６】図１の水栓の一部の背面側斜視図である。
【符号の説明】
【００３３】
１；壁付き水栓、２；背面部、３；平面部、４；温度調節ハンドル、５；切換ハンドル、６；吐水口、７；シャワーホース、８；エルボ、９；カバー、１０；上部カバー、１１；ボディカバー、１２；配管カバー、１３；ボルト、１４；サポートバー、１５；ねじ、２０；水栓本体、２２；水栓ボディ、２４；温度調節カートリッジ、２６；切換弁カートリッジ、２７ａ，２７ｂ；接続部、２８ａ，２８ｂ；継手、２９；シャワー配管、３０；接続部、３２，３４；配管、３６；配管ステー、４０；水栓側接続部、４２；逆流防止弁ユニット、４４；主体部、４５；固定孔、４６；止水栓ユニット、５０；ステー、５２；ねじ、５４；固定部、５６；係止孔、５８；係止部、６０；挿通部、７０；ワッシャー付きねじ、７２；ワッシャー、７４；軸部、７６ａ，７６ｂ；大径部、７８；端部、Ｘ；立壁面、Ｙ；固定構造。
【図１】
2008231888.tif 000003
【図２】
2008231888.tif 000004
【図３】
2008231888.tif 000005
【図４】
2008231888.tif 000006
【図５】
2008231888.tif 000007
【図６】
2008231888.tif 000008